(57)【特許請求の範囲】
【請求項１】
表面にキャラクターをデザインし裏面にガイド軸を有するキャラクター部と、一方の端部に前記キャラクター部のガイド軸を挿入するガイド軸挿嵌部を、他端に電池収納部を設け、前記ガイド軸挿嵌部と電池収納部の間に体温計の本体ケースとの隙間をＯ−リングにより密閉するＯ−リング装着用溝を形成した電池ホルダと、表面に前記キャラクター部を固着し、前記キャラクター部のガイド軸を挿嵌するガイド軸挿入穴を有し、一方の側面に前記電池ホルダを挿入する開口部を有する電池ホルダカバーとを具備したキャラクター付き電子体温計の電池収納部の構造において、前記電池ホルダのガイド軸挿嵌部の形状は、前記電池ホルダを電池ホルダカバーに挿入する方向に前記ガイド軸を案内にして摺動可能に形成した略長円形状で、前記電池ホルダを押し込んだ第１の位置において、電池ホルダは電池ホルダカバー内に収納され、引き出した第２の位置において前記電池収納部が露出される如く構成したことを特徴とするキャラクター付き電子体温計の電池収納部の構造。
【請求項２】
前記電池ホルダに形成したガイド軸挿嵌部の形状は、挿入側先端が開口した弾性枝の端部にフック部が形成されていることを特徴とする請求項１記載のキャラクター付き電子体温計の電池収納部の構造。
【請求項３】
前記電池ホルダに形成したガイド軸挿嵌部の形状は、長穴であることを特徴とする請求項１記載のキャラクター付き電子体温計の電池収納部の構造。
【発明の詳細な説明】
【０００１】
【発明の属する技術分野】
本発明はキャラクター付き電子体温計の電池収納部の構造に関する。
【０００２】
【従来の技術】
近年、一般に水銀体温計に代わり電子体温計が実用化されているが、形状は水銀体温計と同様にペンシル型が主流である。特に幼児が体温を測定する場合に測定するのを拒んだり、また測定中に静かにしないため測定部位がずれたりして、正確に検温ができず何度も検温をやり直すことがあった。
【０００３】
そこで、幼児に好まれるようなキャラクターを備えた電子体温計が広く市販されるようになった。図９はキャラクター付き電子体温計の一部を切り欠いた状態の外観図である。１００は電子体温計であり、先端にはセンサー１０１、本体ケース１０２内には液晶表示部１０３、圧電ブザー１０４、電源スイッチ１０５が配置されている。更に、本体ケース１０２の端部には、電池６を収納したキャラクター付き電池収納部１１が防水機能を有するＯ−リング５を介して挿嵌されている。
【０００４】
従来のキャラクター付き電池収納部１１について説明する。図１０は電池ホルダの平面図、図１１は電池ホルダカバーの平面図、図１２はキャラクター部の平面図である。
【０００５】
先ず、図１０において、１２は平面形状が略矩形形状に樹脂成形された電池ホルダであり、その一方の端部には前記矩形形状の長辺方向に直交するように長円形状のガイド軸挿嵌部１２ａが、他方の端部には電池６を収納する電池収納部１２ｂが形成されている。なお、前記電池収納部１２ｂには電池脱出穴１２ｃが設けられている。また、前記ガイド軸挿嵌部１２ａと電池収納部１２ｂの間に体温計の本体ケースとの隙間をＯ−リングにより密閉するＯ−リング装着用溝１２ｄが形成されている。
【０００６】
図１１において、１３は前記電池ホルダ１２を収納するための樹脂成形された電池ホルダカバーで、表面には後述するキャラクター部のガイド軸を挿嵌する長円形状のガイド軸挿入穴１３ａが、裏面には前記電池ホルダ１２を電池ホルダカバー１３の奥まで押し込んだ状態において、前記電池収納部１２ｂが露出するように切り欠き部１３ｂが形成されている。一方の側面には前記電池ホルダ１２を挿入する開口部１３ｃが、また、表面には前記キャラクター部を位置決めするための凹部１３ｄが形成されている。
【０００７】
図１２において、１４は幼児が極めて好むキャラクター１４ｃ、例えば、スヌーピー等をデザインし樹脂成形したキャラクター部であり、該キャラクター部１４の裏面には前記電池ホルダカバー１３のガイド軸挿入穴１３ａを貫通し、前記電池ホルダ１２のガイド軸挿嵌部１２ａに挿嵌する長円形状のガイド軸１４ａと、前記電池ホルダカバー１３に形成した凹部１３ｄと嵌合する凸部１４ｂが形成されている。
【０００８】
次に、キャラクター付き電池収納部１１の組立手順について説明する。前記電池ホルダ１２のガイド軸挿嵌部１２ａが、前記電池ホルダカバー１３のガイド軸挿入穴１３ａと一致する位置まで前記電池ホルダ１２を電池ホルダカバー１３の開口部１３ｃから挿入する。
【０００９】
更に、前記キャラクター１４のガイド軸１４ａを電池ホルダカバー１３のガイド軸挿入穴１３ａから挿嵌することにより、電池ホルダカバー１３に形成した凹部１３ｄとキャラクター部１４の形成した凸部１４ｂとが嵌合して位置決めされる。上記の電池ホルダを収納した状態で、超音波溶着等の固着手段により電池ホルダカバー１３上にキャラクター部１４を溶着する。
【００１０】
図１３はキャラクター付き電池収納部の裏面図である。上述のように、電池ホルダ１２を収納した状態でキャラクター部１４を電池ホルダカバー１３上に超音波溶着した後、前記Ｏ−リング５を前記電池ホルダ１２のＯ−リング装着用溝１２ｄに特殊な治具を使って装着する。さらに、電池６を電池ホルダ１２の電池収納部１２ｂに収納してキャラクター付き電池収納部１１が完成される。
【００１１】
なお、電池ホルダ１２にＯ−リング５を先に装着し、電池ホルダカバー１３内に挿入した後、電池ホルダカバー１３上にキャラクター部１４を超音波溶着すると、溶着時の加熱によりＯ−リング５は弾性部材（例えば、材質がＮＢＲ）のため変形、劣化して防水機能を損なうことになる。
【００１２】
【発明が解決しようとする課題】
しかしながら、前述したキャラクター付き電子体温計の電池収納部の構造には次のような問題点がある。、前述のようにＯ−リング５の挿入作業は、電池ホルダカバー１３内に電池ホルダ１２が収納され、電池ホルダカバー１３上にキャラクター部１４が超音波溶着で溶着された後で行うため、電池ホルダ１２のＯ−リング装着用溝１２ｄの位置は電池ホルダカバー１３の奥に入ってしまい、特殊な治具を使用しても組み込み作業が極めて困難であった。また、電池ホルダ１２は電池ホルダカバー１３内に固定されているので、電池寿命がきた電池６の排出は電池ホルダ１２に形成した電池脱出穴１２ｃを利用してピン等の道具を差し込んで弾き出さなければ出来ない等の様々な問題があった。また、前述したように電池ホルダカバー１３にキャラクター部１４を固着する手段として超音波溶着の代わりに接着剤等を用いて加熱しなくても、電池６を排出する作業性の良くないことは言うまでもない。
【００１３】
本発明は上記従来の課題に鑑みなされたものであり、その目的は、組立作業性の極めて優れたキャラクター付き電子体温計の電池収納部の構造を提供するものである。
【００１４】
【課題を解決するための手段】
上記目的を達成するために、本発明におけるキャラクター付き電子体温計の電池収納部の構造は、表面にキャラクターをデザインし裏面にガイド軸を有するキャラクター部と、一方の端部に前記キャラクター部のガイド軸を挿入するガイド軸挿嵌部を、他端に電池収納部を設け、前記ガイド軸挿嵌部と電池収納部の間に体温計の本体ケースとの隙間をＯ−リングにより密閉するＯ−リング装着用溝を形成した電池ホルダと、表面に前記キャラクター部を固着し、前記キャラクター部のガイド軸を挿嵌するガイド軸挿入穴を有し、一方の側面に前記電池ホルダを挿入する開口部を有する電池ホルダカバーとを具備したキャラクター付き電子体温計の電池収納部の構造において、前記電池ホルダのガイド軸挿嵌部の形状は、前記電池ホルダを電池ホルダカバーに挿入する方向に前記ガイド軸を案内にして摺動可能に形成した略長円形状で、前記電池ホルダを押し込んだ第１の位置において、電池ホルダは電池ホルダカバー内に収納され、引き出した第２の位置において前記電池収納部が露出される如く構成したことを特徴とするものである。
【００１５】
また、前記電池ホルダに形成したガイド軸挿嵌部の形状は、挿入側先端が開口した弾性枝の端部にフック部が形成されていることを特徴とするものである。
【００１６】
また、前記電池ホルダに形成したガイド軸挿嵌部の形状は、長穴であることを特徴とするものである。
【００１７】
【発明の実施の形態】
以下図面に基づいて本発明におけるキャラクター付き電子体温計の電池収納部の構造について説明する。図１〜図７は本発明の第１の実施の形態であり、図１はキャラクター付き電池収納部の構成部材の説明図である。図において、従来技術と同一部材は同一符号で示す。
【００１８】
図１において、１は組み立てられたキャラクター付き電池収納部で、電池ホルダ２、電池ホルダカバー３、キャラクター部４、Ｏ−リング５及び電池６にて構成される。以下、各構成部材について説明する。
【００１９】
図２は電池ホルダの平面図である。図において、２は電池ホルダで平面形状が略矩形形状に樹脂成形され、その一方の端部には前記矩形形状の長辺方向に平行な２つの長円形状のガイド軸挿嵌部２ａが形成されている。該ガイド軸挿嵌部２ａはそれぞれ先端が開口した弾性枝を有し、その端部にフック部２ｂが、また、該フック部２ｂに対向する長円形状の端部に円弧部２ｃが形成されている。他方の端部には前述の従来技術と同様に、電池収納部２ｄ、電池脱出穴２ｅ及び前記ガイド軸挿嵌部２ａと電池収納部２ｄの間にはＯ−リング装着用溝２ｆが形成されている。
【００２０】
図３は電池ホルダカバーの平面図である。図において、３は前記電池ホルダ２を収納するための樹脂成形された電池ホルダカバーで、その表面には後述するキャラクター部のガイド軸を挿嵌する２つの半円形状のガイド軸挿入穴３ａを前記電池ホルダ２を挿入する方向に直交して配設されている。また、従来と同様に一方の側面には前記電池ホルダ２を挿入する開口部３ｂが、また、前記キャラクター部を位置決めするための凹部３ｃが形成されている。
【００２１】
図４はキャラクター部の裏面図、図５はその平面図である。図４及び図５において、４は幼児の好むキャラクター、例えば、ハローキティー４ｃ等をデザインし樹脂成形したキャラクター部である。該キャラクター部４の裏面には前記電池ホルダカバー３に配設された２つのガイド軸挿入穴３ａを貫通し、前記電池ホルダ２に形成されているガイド軸挿嵌部２ａに挿嵌する断面が半円形状のガイド軸４ａと、従来技術と同様に、電池ホルダカバー３に形成した凹部３ｃと嵌合する凸部４ｂが形成されている。
【００２２】
以上の構成により、キャラクター付き電池収納部１の組立手順について説明する。図１〜図４において、先ずキャラクター部４に形成されたガイド軸４ａを電池ホルダカバー３に形成されたガイド軸挿入穴３ａに挿嵌することにより、電池ホルダカバー３に形成した凹部３ｃとキャラクター部４に形成した凸部とが嵌合して位置決めされる。その状態において、超音波溶着によりキャラクター部４は電池ホルダカバー３上に溶着される。
【００２３】
一方、電池ホルダ２はＯ−リング装着用溝２ｆに特殊治具を使用することなく容易にＯ−リング５を装着することができる。その後、フック部側を先にして上記したキャラクター部４を溶着した電池ホルダカバー３に設けた開口部３ｂより電池ホルダ２を押し込むことにより、前記キャラクター部４のガイド軸４ａの円弧側がフック部２ｂの先端に当接し、更に押し込むとフック部２ｂが開き、電池ホルダ２はガイド軸４ａを案内にして摺動可能な状態で電池ホルダカバー３内に収納される。
【００２４】
以上述べた構成によりその作用について説明する。図６は電池ホルダ２を電池ホルダカバー３に押し込んだ状態の断面図、図７は引き出した状態の平面図である。図６において、上記したように電池ホルダ２を電池ホルダカバー３内に押し込み、キャラクター部４の下面に突出したガイド軸４ａの円弧部が電池ホルダ２のガイド軸挿嵌部２ａのフック部２ｂと対向する円弧部２ｃと当接する第１の位置Ａにおいて、電池ホルダ２は電池ホルダカバー３内に完全に収納される。
【００２５】
図７でおいて、上記と逆に電池ホルダ２を電池ホルダカバー３から引き出し、ガイド軸４ａの弦部がフック部２ｂの内側に当接する第２の位置Ｂにおいて、電池ホルダ２の電池収納部２ｄが電池ホルダカバー３から露出する。キャラクター付き電池収納部１を傾けるのみで、電池ホルダ２は電池ホルダカバー３内をガイド軸４ａを案内にして前記第１の位置Ａから第２の位置Ｂまでの距離Ｌの間をスライドする。電池収納部２ｄが露出するので電池交換はピン等の道具を使用することなく容易に行うことが可能である。
【００２６】
図８は本発明の第２の実施の形態である電池ホルダの平面図である。前述した電池ホルダカバー３にキャラクター部４を固着する手段として超音波溶着の代わりに加熱しない方法、例えば、接着剤等で行うことにすると、図８に示すような電池ホルダ７を使用する。該電池ホルダ７に形成したガイド軸挿嵌部７ａの形状は両端が閉じた長穴であり、他の形状は前記した電池ホルダ２とかわらない。従って、上記電池ホルダ７を使用したキャラクター付き電池収納部の組立手順において、先ず電池ホルダ７にＯ−リング５を装着した後電池ホルダカバー３内に挿入して、電池ホルダカバー３のガイド軸挿入穴３ａと電池ホルダ２のガイド軸挿嵌部７ａの位置を合致させ、キャラクター部４のガイド軸４ａを挿嵌させた状態で、電池ホルダカバー３上にキャラクター部４を接着剤等で接着する。前述と同様に電池ホルダ７を押し込んだ第１の位置Ａにおいて、電池ホルダ７は電池ホルダカバー３内に収納され、引き出した第２の位置Ｂにおいて、電池収納部７ｂが露出するので電池交換が容易であることは前述と同様である。接着剤を用いてキャラクター部４を固着した場合においても、前述のフック部を有する電池ホルダ３が使用できることは言うまでもない。
【００２７】
【発明の効果】
以上説明したように、本発明によれば、電池ホルダのガイド軸挿嵌部の形状は、前記電池ホルダを電池ホルダカバーに挿入する方向に前記ガイド軸を案内にして摺動可能に形成した略長円形状で、挿入側先端にフック部を形成し、前記電池ホルダを押し込んだ第１の位置において、電池ホルダは電池ホルダカバー内に収納され、引き出した第２の位置において前記電池収納部が露出される如く構成することにより、Ｏ−リングの組み込みは電池ホルダを電池ホルダカバーに挿入する前に容易に行うことができるので、超音波溶着における熱によるＯ−リングの品質劣化もなく、またＯ−リングの組み込み工数が大きく低減できる。更に、電池収納部を露出させることができるので電池交換時の電池の挿脱に道具を使用することなく容易にできる。電池ホルダカバー上にキャラクター部を接着剤等の手段で固着する場合でも上記と同様に電池の挿脱が容易となる。以上により組み込み工数が低減し、品質的に信頼性の優れたキャラクター付き電子体温計の電池収納部を提供することができる。
【図面の簡単な説明】
【図１】本発明の第１の実施の形態に係わるキャラクター付き電池収納部の構成部材の説明図である。
【図２】図１の電池ホルダの平面図である。
【図３】図１の電池ホルダカバーの平面図である。
【図４】図１のキャラクター部の裏面図である。
【図５】図４のキャラクター部の平面図である。
【図６】図１の電池ホルダを押し込んだ状態の動作を説明する断面図である。
【図７】図１の電池ホルダを引き出した状態の動作を説明する平面図である。
【図８】本発明の第２の実施の形態に係わる電池ホルダの平面図である。
【図９】従来のキャラクター付き電子体温計の電池収納部の構造を示す一部切り欠き平面図である。
【図１０】図９の電池ホルダの平面図である。
【図１１】図９の電池ホルダカバーの平面図である。
【図１２】図９のキャラクター部の平面図である。
【図１３】図９のキャラクター付き電池収納部の裏面図である。
【符号の説明】
１  キャラクター付き電池収納部
２、７  電池ホルダ
２ａ、７ａ  ガイド軸挿嵌部
２ｂ  フック部
２ｄ  電池収納部
２ｆ  Ｏ−リング装着用溝
３  電池ホルダカバー
３ａ  ガイド軸挿入穴
３ｂ  開口部
４  キャラクター部
４ａ  ガイド軸
４ｃ  キャラクター
５  Ｏ−リング
６  電池
Ａ  第１の位置
Ｂ  第２の位置
【図１】
0003694125.tif 000002
【図２】
0003694125.tif 000003
【図３】
0003694125.tif 000004
【図４】
0003694125.tif 000005
【図５】
0003694125.tif 000006
【図６】
0003694125.tif 000007
【図７】
0003694125.tif 000008
【図８】
0003694125.tif 000009
【図９】
0003694125.tif 000010
【図１０】
0003694125.tif 000011
【図１１】
0003694125.tif 000012
【図１２】
0003694125.tif 000013
【図１３】
0003694125.tif 000014